(57)【要約】【課題】共通のカウンタウエイトブロックを用いて顧客の要望に応じることができ、コストダウンを図り得る建設機械のカウンタウエイト構造を提供する。【解決手段】旋回体の後部にウエイトベース２０を取り付け、該ウエイトベース２０上に、平面形状が鉛直軸Ｏを中心として１８０°回転させた場合に同一となる回転対称形状を有し且つ回転対称となる一方の面に表示面２１ａを形成すると共に他方の面に非表示面２１ｂを形成したカウンタウエイトブロック２１を、前記表示面２１ａが外部から視認される背面側に位置し且つ前記非表示面２１ｂが外部から視認されない内側に位置する表示ポジションと、前記非表示面２１ｂが外部から視認される背面側に位置し且つ前記表示面２１ａが外部から視認されない内側に位置する非表示ポジションとの間で切換自在となるよう取り付ける。【選択図】図１
2011011867.tif 000002
【特許請求の範囲】
【請求項１】
旋回体の後部にカウンタウエイトを搭載してなる建設機械のカウンタウエイト構造において、
前記旋回体の後部にウエイトベースを取り付け、該ウエイトベース上に、平面形状が鉛直軸を中心として１８０°回転させた場合に同一となる回転対称形状を有し且つ回転対称となる一方の面に表示面を形成すると共に他方の面に非表示面を形成したカウンタウエイトブロックを、前記表示面が外部から視認される背面側に位置し且つ前記非表示面が外部から視認されない内側に位置する表示ポジションと、前記非表示面が外部から視認される背面側に位置し且つ前記表示面が外部から視認されない内側に位置する非表示ポジションとの間で切換自在となるよう取り付けたことを特徴とする建設機械のカウンタウエイト構造。
【請求項２】
前記カウンタウエイトブロックの表示面に社名を鋳込むよう構成した請求項１記載の建設機械のカウンタウエイト構造。
【請求項３】
前記ウエイトベースの上面に、位置決めボスを突設すると共に、前記カウンタウエイトブロックの下面対応位置に、位置決めボスが嵌入される位置決め凹部を形成した請求項１又は２記載の建設機械のカウンタウエイト構造。
【発明の詳細な説明】
【技術分野】
【０００１】
本発明は、建設機械のカウンタウエイト構造に関するものである。
【背景技術】
【０００２】
図３は建設機械としてのクローラクレーンの一例を示す側面図であって、図３中、１は無端状のクローラ２を備えた走行体、３は走行体１の上部に旋回自在に設置された旋回体、４は旋回体３の前部に起伏自在に枢着されたジブ、５はＡフレームである。
【０００３】
前記Ａフレーム５は、下端を旋回体３の後方側に支持されて立設された垂直フレーム５ａと、下端を旋回体３の前方側に支持されて前記垂直フレーム５ａ上端側へ斜め上方へ向けて延在し、上端を垂直フレーム５ａの上端に接続された傾斜フレーム５ｂとを備えている。
【０００４】
又、図３中、６はＡフレーム５の上端に設けられたシーブブロック、７は先端をジブ４の先端上部に接続されたジブ支持索８に接続されたシーブブロック、９は旋回体３に配置されたジブ起伏ウインチ１０により巻取り・繰出し可能で且つシーブブロック６，７間に掛け回されたジブ４の起伏用ワイヤロープ、１１は荷を吊るためにジブ４の先端から吊り下げられた主フック、１２は荷を吊るためにジブ４の先端に配置した補助フレーム１３から吊り下げられた補助フックである。
【０００５】
そして、図３に示される如きクローラクレーン等の建設機械では、前記起伏用ワイヤロープ９の巻取り・繰出しによって起伏されるジブ４の重量と、該ジブ４の先端から主フック１１や補助フック１２を介して吊り下げられる吊り荷（図示せず）の重量とのバランスを取るために、前記旋回体３の後部にはカウンタウエイト１４が搭載されている。
【０００６】
前記カウンタウエイト１４は、図３及び図４に示される如く、複数のカウンタウエイトブロック１５，１６，１７，１８Ａ，１８Ｂ，１９Ａ，１９Ｂを積み重ねてなる構成を有しており、そのうちの一つのカウンタウエイトブロック１６の背面側に形成した表示面１６ａに、例えば、製造元の社名Ｎを鋳込むことが行われていた。
【０００７】
尚、前述の如きカウンタウエイトを備えた建設機械の一般的技術水準を示すものとしては、例えば、特許文献１、２がある。
【先行技術文献】
【特許文献】
【０００８】
【特許文献１】特開平９−３２８７８１号公報
【特許文献２】特開２００１−２３３５８６号公報
【発明の概要】
【発明が解決しようとする課題】
【０００９】
ところで、図３及び図４に示される如きカウンタウエイト１４を備えた建設機械を購入する顧客によっては、前記カウンタウエイトブロック１６の背面側に形成した表示面１６ａに製造元の社名Ｎを表示することを望まなかったり、或いは自社に関する情報等を表示することを要望したりする場合があった。
【００１０】
しかしながら、前記カウンタウエイトブロック１６の平面形状は、図５に示されるような形状に形成されており、前記表示面１６ａが必ず外部から視認される背面側に位置するよう取り付けざるを得ないため、前述のような顧客の要望があった場合には、表示面１６ａに社名Ｎが鋳込まれていないカウンタウエイトブロック１６を新たに製造、又は、社名Ｎの部分を加工し化粧板の取付をしなければならず、コストアップにつながるという不具合を有していた。
【００１１】
本発明は、斯かる実情に鑑み、共通のカウンタウエイトブロックを用いて顧客の要望に応じることができ、コストダウンを図り得る建設機械のカウンタウエイト構造を提供しようとするものである。
【課題を解決するための手段】
【００１２】
本発明は、旋回体の後部にカウンタウエイトを搭載してなる建設機械のカウンタウエイト構造において、
前記旋回体の後部にウエイトベースを取り付け、該ウエイトベース上に、平面形状が鉛直軸を中心として１８０°回転させた場合に同一となる回転対称形状を有し且つ回転対称となる一方の面に表示面を形成すると共に他方の面に非表示面を形成したカウンタウエイトブロックを、前記表示面が外部から視認される背面側に位置し且つ前記非表示面が外部から視認されない内側に位置する表示ポジションと、前記非表示面が外部から視認される背面側に位置し且つ前記表示面が外部から視認されない内側に位置する非表示ポジションとの間で切換自在となるよう取り付けたことを特徴とする建設機械のカウンタウエイト構造にかかるものである。
【００１３】
上記手段によれば、以下のような作用が得られる。
【００１４】
通常の場合、ウエイトベースに対し、カウンタウエイトブロックは、表示面が外部から視認される背面側に位置し且つ非表示面が外部から視認されない内側に位置する表示ポジションで取り付けられる。
【００１５】
これに対し、建設機械を購入する顧客が、前記表示面が視認されることを望まなかったり、或いは自社に関する情報等を表示することを要望したりする場合には、ウエイトベースに対し、カウンタウエイトブロックを、前記非表示面が外部から視認される背面側に位置し且つ前記表示面が外部から視認されない内側に位置する非表示ポジションで取り付けることが可能となり、表示面に何も表示されていないカウンタウエイトブロックを新たに製造しなくて済み、コストアップが避けられる。
【００１６】
前記建設機械のカウンタウエイト構造においては、前記カウンタウエイトブロックの表示面に社名を鋳込むよう構成することができる。
【００１７】
又、前記建設機械のカウンタウエイト構造においては、前記ウエイトベースの上面に、位置決めボスを突設すると共に、前記カウンタウエイトブロックの下面対応位置に、位置決めボスが嵌入される位置決め凹部を形成することができ、このようにすると、ウエイトベースに対するカウンタウエイトブロックの取り付けを確実に行うことが可能となると共に、カウンタウエイトブロックのズレ防止にも有効となる。
【発明の効果】
【００１８】
本発明の建設機械のカウンタウエイト構造によれば、共通のカウンタウエイトブロックを用いて顧客の要望に応じることができ、コストダウンを図り得るという優れた効果を奏し得る。
【図面の簡単な説明】
【００１９】
【図１】本発明の実施例を示す背面図であって、（ａ）はウエイトベースに対しカウンタウエイトブロックを表示ポジションで取り付けた状態を示す図、（ｂ）はウエイトベースに対しカウンタウエイトブロックを非表示ポジションで取り付けた状態を示す図である。
【図２】本発明の実施例を示す平面図であって、（ａ）は図１（ａ）のＩＩａ−ＩＩａ矢視相当図、（ｂ）は図１（ｂ）のＩＩｂ−ＩＩｂ矢視相当図である。
【図３】建設機械としてのクローラクレーンの一例を示す側面図である。
【図４】従来のカウンタウエイトの一例を示す背面図であって、図３のＩＶ−ＩＶ矢視相当図である。
【図５】従来のカウンタウエイトの一例を示す平面図であって、図４のＶ−Ｖ矢視相当図である。
【発明を実施するための形態】
【００２０】
以下、本発明の実施の形態を添付図面を参照して説明する。
【００２１】
図１及び図２は本発明の実施例であって、図中、図３〜図５と同一の符号を付した部分は同一物を表わしており、基本的な構成は図３〜図５に示す従来のものと同様であるが、本実施例の特徴とするところは、図１及び図２に示す如く、旋回体３（図３参照）の後部にウエイトベース２０を取り付け、該ウエイトベース２０上に、平面形状が鉛直軸Ｏを中心として１８０°回転させた場合に同一となる回転対称形状を有し且つ回転対称となる一方の面に表示面２１ａを形成すると共に他方の面に非表示面２１ｂを形成したカウンタウエイトブロック２１を、前記表示面２１ａが外部から視認される背面側に位置し且つ前記非表示面２１ｂが外部から視認されない内側に位置する表示ポジション（図１（ａ）及び図２（ａ）参照）と、前記非表示面２１ｂが外部から視認される背面側に位置し且つ前記表示面２１ａが外部から視認されない内側に位置する非表示ポジション（図１（ｂ）及び図２（ｂ）参照）との間で切換自在となるよう取り付けた点にある。
【００２２】
本実施例の場合、前記カウンタウエイトブロック２１の表示面２１ａには製造元の社名Ｎを鋳込む一方、前記カウンタウエイトブロック２１の非表示面２１ｂには何も表示していない単なる平滑面としてある。
【００２３】
又、前記ウエイトベース２０の上面には、位置決めボス２８を突設すると共に、前記カウンタウエイトブロック２１の下面対応位置には、位置決めボス２８が嵌入される位置決め凹部２９を形成してある。
【００２４】
尚、前記ウエイトベース２０上におけるカウンタウエイトブロック２１の左側には、カウンタウエイトブロック２２Ａ，２３Ａ，２４Ａ，２５Ａ，２６Ａ，２７Ａを積み重ねると共に、前記ウエイトベース２０上におけるカウンタウエイトブロック２１の右側には、カウンタウエイトブロック２２Ｂ，２３Ｂ，２４Ｂ，２５Ｂ，２６Ｂ，２７Ｂを積み重ねるようにしてある。但し、前記カウンタウエイトブロック２１の形状や大きさは、本実施例以外にも種々選定し得、前記カウンタウエイトブロック２２Ａ，２３Ａ，２４Ａ，２５Ａ，２６Ａ，２７Ａやカウンタウエイトブロック２２Ｂ，２３Ｂ，２４Ｂ，２５Ｂ，２６Ｂ，２７Ｂを場合によってはなくすことも可能である。
【００２５】
次に、上記実施例の作用を説明する。
【００２６】
通常の場合、ウエイトベース２０に対し、カウンタウエイトブロック２１は、図１（ａ）及び図２（ａ）に示す如く、製造元の社名Ｎが鋳込まれた表示面２１ａが外部から視認される背面側に位置し且つ非表示面２１ｂが外部から視認されない内側に位置する表示ポジションで取り付けられる。
【００２７】
これに対し、クローラクレーン等の建設機械を購入する顧客が、前記表示面２１ａが視認されることを望まなかったり、或いは自社に関する情報等を表示することを要望したりする場合には、ウエイトベース２０に対し、カウンタウエイトブロック２１を、図１（ｂ）及び図２（ｂ）に示す如く、前記非表示面２１ｂが外部から視認される背面側に位置し且つ前記表示面２１ａが外部から視認されない内側に位置する非表示ポジションで取り付けることが可能となり、表示面２１ａに何も表示されていないカウンタウエイトブロック２１を新たに製造しなくて済み、コストアップが避けられる。
【００２８】
又、前記ウエイトベース２０の上面には、位置決めボス２８を突設すると共に、前記カウンタウエイトブロック２１の下面対応位置には、位置決めボス２８が嵌入される位置決め凹部２９を形成してあるため、ウエイトベース２０に対するカウンタウエイトブロック２１の取り付けを確実に行うことが可能となると共に、カウンタウエイトブロック２１のズレ防止にも有効となる。
【００２９】
こうして、共通のカウンタウエイトブロック２１を用いて顧客の要望に応じることができ、コストダウンを図り得る。
【００３０】
尚、本発明の建設機械のカウンタウエイト構造は、上述の実施例にのみ限定されるものではなく、クローラクレーンに限らず、油圧ショベル等の建設機械にも適用可能なこと等、その他、本発明の要旨を逸脱しない範囲内において種々変更を加え得ることは勿論である。
【符号の説明】
【００３１】
３    旋回体
４    ジブ
２０    ウエイトベース
２１    カウンタウエイトブロック
２１ａ  表示面
２１ｂ  非表示面
２８    ボス
２９    凹部
Ｎ    社名
Ｏ    鉛直軸
【図１】
2011011867.tif 000003
【図２】
2011011867.tif 000004
【図３】
2011011867.tif 000005
【図４】
2011011867.tif 000006
【図５】
2011011867.tif 000007